(57)【要約】      （修正有）【課題】音楽再生時の操作性を向上させることができる「音楽再生装置」を提供すること。【解決手段】音楽記録再生装置１００は、フォルダを単位として再生対象となる音楽データが付属データとともに記録されるハードディスク装置１４と、ハードディスク装置１４から音楽データを読み出して音楽再生を行う音楽データ読出部１６および音楽データ再生部１８と、再生対象となる音楽データが含まれるフォルダを切り替える切替操作を受け付ける操作部３０と、切替操作が行われた時に、ハードディスク装置１４に２以上のフォルダが含まれている場合には他のフォルダに含まれる音楽データを次の再生対象として特定するとともに、１つのフォルダのみが含まれている場合には、このフォルダに含まれるその時点で再生対象になっている以外の音楽データを付属データに基づいて検索して次の再生対象として特定する付属データ読出部２０および音楽データ検索部２２とを備える。【選択図】図１
2006147062.tif 000002
【特許請求の範囲】
【請求項１】
フォルダを単位として、再生対象となる音楽データが付属データとともに記録される音楽データ記録手段と、
前記音楽データ記録手段から前記音楽データを読み出して音楽再生を行う音楽再生処理手段と、
再生対象となる前記音楽データが含まれる前記フォルダを切り替える切替操作を受け付ける操作手段と、
前記操作手段を用いた切替操作が行われたときに、前記音楽データ記録手段に２以上の前記フォルダが含まれている場合には、再生対象となる前記音楽データが含まれる前記フォルダを切り替えてこの切り替えた後の前記フォルダに含まれる一の前記音楽データを次の再生対象として特定するとともに、前記音楽データ記録手段に１つの前記フォルダのみが含まれている場合には、このフォルダに含まれるその時点で再生対象になっている以外の前記音楽データを前記付属データに基づいて検索して次の再生対象として特定する音楽データ検索手段と、
を備えることを特徴とする音楽再生装置。
【請求項２】
請求項１において、
前記音楽データは、圧縮された形式で前記音楽データ記録手段に記録されており、
前記音楽再生処理手段は、前記音楽データ記録手段から読み出した前記音楽データを非圧縮データに伸張処理した後に音楽再生を行うことを特徴とする音楽再生装置。
【請求項３】
請求項１または２において、
前記付属データには、一あるいは複数の前記音楽データに共通する検索キーワードが含まれており、
前記音楽データ検索手段は、前記音楽データ記録手段に１つの前記フォルダのみが含まれている場合に、前記検索キーワードを用いて次の再生対象となる前記音楽データを検索することを特徴とする音楽再生装置。
【請求項４】
請求項３において、
前記付属データには、複数種類の属性データが含まれており、
前記音楽データ検索手段は、前記複数種類の属性データの中から一の属性データに着目し、その時点で再生対象となっている前記音楽データに対応するこの一の属性データの内容と異なる内容を前記検索キーワードとして次の再生対象となる前記音楽データを検索することを特徴とする音楽再生装置。
【請求項５】
請求項１〜４のいずれかにおいて、
前記付属データには、販売対象となる複数の前記音楽データが含まれるグループ毎に付されたアルバム名が含まれており、
前記音楽データ検索手段は、前記音楽データ記録手段に１つの前記フォルダのみが含まれている場合に、その時点で再生対象となっている前記音楽データに対応する前記アルバム名と異なる他のアルバム名に対応した他の前記音楽データを検索することを特徴とする音楽再生装置。
【請求項６】
請求項５において、
前記音楽再生処理手段は、前記音楽データ検索手段によって前記他のアルバム名に対応した前記音楽データの検索が行われたときに、前記他のアルバム名と同じアルバム名に対応する複数の前記音楽データを前記音楽データ記録手段から順番に読み出して音楽再生を行うことを特徴とする音楽再生装置。
【請求項７】
請求項１〜４のいずれかにおいて、
前記付属データには、前記音楽データのそれぞれに対応する曲のジャンルが含まれており、
前記音楽データ検索手段は、前記音楽データ記録手段に１つの前記フォルダのみが含まれている場合に、その時点で再生対象となっている前記音楽データに対応する前記ジャンルと異なる他のジャンルに対応した他の前記音楽データを検索することを特徴とする音楽再生装置。
【請求項８】
請求項７において、
前記音楽再生処理手段は、前記音楽データ検索手段によって前記他のジャンルに対応した前記音楽データの検索が行われたときに、前記他のジャンルに属する複数の前記音楽データを前記音楽データ記録手段から順番に読み出して音楽再生を行うことを特徴とする音楽再生装置。
【発明の詳細な説明】
【技術分野】
【０００１】
本発明は、フォルダを単位として記録された音楽データを再生する音楽再生装置に関する。
【背景技術】
【０００２】
最近では、ＭＰ３（MPEG-1 Audio Layer 3）等の音楽データ圧縮技術の進歩やハードディスク装置の低価格化にともなって、ＣＤやＤＶＤ等に記録された音楽データを圧縮してハードディスク装置に蓄積し、蓄積された音楽データを適宜読み出して再生する音楽再生装置が普及しつつある（例えば、特許文献１参照。）。利用者は、この音楽再生装置を用いることにより、ハードディスク装置に蓄積された膨大な数の音楽データの中から聴きたい音楽データを指定するだけで、ＣＤ等を交換するという煩雑な操作を行うことなく任意の音楽を聴くことができる。また、この音楽再生装置では、利用者が適当なフォルダを指定して音楽データを格納することができるため、例えば販売されているアルバム毎（ＣＤ毎）にフォルダを作成することができるため、このフォルダを仮想ＣＤとして取り扱うことも可能となる。
【特許文献１】特開２００２−２７８５６４号公報（第４−６頁、図１−７）
【発明の開示】
【発明が解決しようとする課題】
【０００３】
ところで、上述した特許文献１に開示された音楽再生装置では、音楽データを記録するフォルダを利用者が任意に設定することができるが、１つのフォルダに記録する音楽データの数が多すぎると選曲操作がしづらいという問題があった。例えば、１枚のＣＤに１つのフォルダを対応させた場合には、アルバム名毎にフォルダを変えることができるため、利用者は、一のアルバムに記録されている音楽を順番に聴いていって途中で次のアルバムの音楽を聴きたいと思った場合には、フォルダを切り替える所定の操作をすればよい。ところが、アーティスト名に対応する１つのフォルダを作った場合や、全ての音楽データに対応する１つのフォルダを作った場合には、今再生中のアルバムから次のアルバムに再生対象を切り替えようとしてもフォルダの切り替え操作では対処できない。このとき、フォルダ内の各音楽データの内容（ＩＤタグの内容）を表示することができれば、その表示内容を見ながら音楽データを選択してトラックジャンプ（例えば、一のトラックに１つの音楽データが対応しているものとする）を指示することができるが、表示内容を確認しながらの操作はとても煩雑であり、車載の音楽再生装置などでは実施が困難である。
【０００４】
本発明は、このような点に鑑みて創作されたものであり、その目的は、音楽再生時の操作性を向上させることができる音楽再生装置を提供することにある。
【課題を解決するための手段】
【０００５】
上述した課題を解決するために、本発明の音楽再生装置は、フォルダを単位として、再生対象となる音楽データが付属データとともに記録される音楽データ記録手段と、音楽データ記録手段から音楽データを読み出して音楽再生を行う音楽再生処理手段と、再生対象となる音楽データが含まれるフォルダを切り替える切替操作を受け付ける操作手段と、操作手段を用いた切替操作が行われたときに、音楽データ記録手段に２以上のフォルダが含まれている場合には、再生対象となる音楽データが含まれるフォルダを切り替えてこの切り替えた後のフォルダに含まれる一の音楽データを次の再生対象として特定するとともに、音楽データ記録手段に１つのフォルダのみが含まれている場合には、このフォルダに含まれるその時点で再生対象になっている以外の音楽データを付属データに基づいて検索して次の再生対象として特定する音楽データ検索手段とを備えている。これにより、一のフォルダに多くの音楽データを記録した場合であっても、各音楽データの内容を表示させて選択操作をすることなくフォルダの切替操作を行うだけで、フォルダ内の他の音楽データを再生することが可能になり、音楽データ再生時の操作性を向上させることができる。
【０００６】
また、上述した音楽データは、圧縮された形式で音楽データ記録手段に記録されており、音楽再生処理手段は、音楽データ記録手段から読み出した音楽データを非圧縮データに伸張処理した後に音楽再生を行うことが望ましい。特に、圧縮された形式で音楽データが記録されている場合には音楽データの数も多くなるが、このような場合であっても、フォルダの切替指示を行うだけで、一のフォルダに記録された膨大な数の音楽データの中から次の再生対象となる他の音楽データを特定することができる。
【０００７】
また、上述した付属データには、一あるいは複数の音楽データに共通する検索キーワードが含まれており、音楽データ検索手段は、音楽データ記録手段に１つのフォルダのみが含まれている場合に、検索キーワードを用いて次の再生対象となる音楽データを検索することが望ましい。これにより、検索キーワードを用いて音楽データを検索することができるため、検索処理の負担を軽減することができる。
【０００８】
また、上述した付属データには、複数種類の属性データが含まれており、音楽データ検索手段は、複数種類の属性データの中から一の属性データに着目し、その時点で再生対象となっている音楽データに対応するこの一の属性データの内容と異なる内容を検索キーワードとして次の再生対象となる音楽データを検索することが望ましい。これにより、フォルダの切替操作がなされたときに、属性が異なる他の音楽データを再生することができるため、変化に富んだ内容の音楽再生を行うことが可能になる。
【０００９】
また、上述した付属データには、販売対象となる複数の音楽データが含まれるグループ毎に付されたアルバム名が含まれており、音楽データ検索手段は、音楽データ記録手段に１つのフォルダのみが含まれている場合に、その時点で再生対象となっている音楽データに対応するアルバム名と異なる他のアルバム名に対応した他の音楽データを検索することが望ましい。特に、上述した音楽再生処理手段は、音楽データ検索手段によって他のアルバム名に対応した音楽データの検索が行われたときに、他のアルバム名と同じアルバム名に対応する複数の音楽データを音楽データ記録手段から順番に読み出して音楽再生を行うことが望ましい。これにより、異なるアルバム名の音楽データを一つのフォルダに記録した場合であっても、アルバム名毎に再生順番を切り替えることが可能になり、アルバム毎にフォルダを替えて記録したり、フォルダ内の音楽データをアルバム名を指定して検索するなどの煩雑な操作を防止することができ、操作性を向上させることができる。
【００１０】
また、上述した付属データには、音楽データのそれぞれに対応する曲のジャンルが含まれており、音楽データ検索手段は、音楽データ記録手段に１つのフォルダのみが含まれている場合に、その時点で再生対象となっている音楽データに対応するジャンルと異なる他のジャンルに対応した他の音楽データを検索することが望ましい。特に、上述した音楽再生処理手段は、音楽データ検索手段によって他のジャンルに対応した音楽データの検索が行われたときに、他のジャンルに属する複数の音楽データを音楽データ記録手段から順番に読み出して音楽再生を行うことが望ましい。これにより、異なるジャンルの音楽データを一つのフォルダに記録した場合であっても、ジャンル毎に再生順番を切り替えることが可能になり、ジャンル毎にフォルダを替えて記録したり、フォルダ内の音楽データをジャンルを指定して検索するなどの煩雑な操作を防止することができ、操作性を向上させることができる。
【発明を実施するための最良の形態】
【００１１】
以下、本発明を適用した一実施形態の音楽記録再生装置について、図面を参照しながら説明する。図１は、一実施形態の音楽記録再生装置の構成を示す図である。図１に示す本実施形態の音楽記録再生装置１００は、車両に搭載されており、ディスクプレーヤ１０、音楽データ作成部１２、ハードディスク装置１４、音楽データ読出部１６、音楽データ再生部１８、付属データ読出部２０、音楽データ検索部２２、操作部３０を含んで構成されている。
【００１２】
ディスクプレーヤ１０は、ＣＤあるいはＤＶＤに記録された音楽データやこの音楽データに付随するデータを読み出す。例えば、ディスクプレーヤ１０からは、ＣＤに記録された各種形式のデータに対して再生処理を行った後の非圧縮の音楽データが出力されるとともに、ＴＯＣ（Table of Content）に記録された各種情報が読み出されて出力される。なお、通常、車両には音楽記録再生装置１００と一体あるいは別体となったオーディオ装置が搭載されており、このオーディオ装置にはＣＤやＤＶＤから音楽データ等を読み出すディスクプレーヤが備わっている場合が多いため、これを音楽記録再生装置１００のディスクプレーヤ１０として使用するようにしてもよい。
【００１３】
音楽データ作成部１２は、ディスクプレーヤ１０から出力される非圧縮の音楽データに対して圧縮処理を行って、所定形式（例えばＭＰ３形式）の音楽データを作成する。なお、本実施形態では、ディスクプレーヤ１０から出力される非圧縮の音声データに基づいてＭＰ３形式の圧縮された音楽データが作成されるものとしているが、ＣＤ等にＭＰ３形式の音楽データが既に記録されている場合にはこの音楽データを用いたり、ＣＤ等にＭＰ３形式以外の方式で圧縮された音楽データが記録されている場合にはＭＰ３形式以外の方式で圧縮された音楽データからＭＰ３形式の音楽データを直接作成するようにしてもよい。音楽データ作成部１２によって作成されたＭＰ３形式の音楽データは、ＣＤ等から音楽データと並行して読み出された付属データとともに楽曲データとしてハードディスク装置１４内の指定されたフォルダに記録される。
【００１４】
図２は、ハードディスク装置１４に記録される楽曲データのデータ構造を示す図である。図２に示すように、本実施形態の楽曲データは、楽曲毎に、音楽データをＭＰ３方式によって圧縮して作成した「圧縮音楽データ」と、この楽曲に関する各種の属性データを示す付属データとしての「ＩＤ３タグ情報」を含んで構成されている。このＩＤ３タグ情報には、
ａ．楽曲の曲名を示す「タイトル」
ｂ．この楽曲を歌っている歌手名、あるいは演奏している演奏者名などを表す「アーティスト」
ｃ．販売対象となる複数の楽曲が収録されているグループ名としてのアルバム名を表す「アルバム」
ｄ．楽曲（あるいはこの楽曲を収録するアルバム）の発表年度を表すイヤー
ｅ．楽曲に対して任意に付加される各種情報である「コメント」
ｆ．楽曲のジャンル情報（ポップス、ロック、クラシック等）を表す「ジャンル」
等の情報が含まれている。
【００１５】
音楽データ読出部１６は、ハードディスク装置１４に記録された楽曲データの中の圧縮音楽データを所定の順番で読み出す。例えば、読み出し対象となるフォルダが指定されると、その中に含まれる圧縮音楽データをトラック番号が小さい順に順番に読み出す動作が行われる。音楽データ再生部１８は、音楽データ読出部１６によってハードディスク装置１４から読み出された各楽曲の圧縮音楽データを伸張処理するとともに、この伸張後の音楽データをアナログの音楽信号に変換する処理を行う。音楽データ再生部１８から出力される音楽信号は、内蔵あるいは外付けのアンプ（図示せず）によって増幅されて複数のスピーカ（図示せず）から車室内に出力される。
【００１６】
付属データ読出部２０は、ハードディスク装置１４に記録された楽曲データの中のＩＤ３タグ情報を読み出す。音楽データ検索部２２は、音楽データの再生中にフォルダ移動を伴う再生楽曲の切り替えが指示されたときに、他のフォルダの有無を検索するとともに、他のフォルダが存在しない場合には再生中の楽曲に対応するフォルダ内の他の楽曲の検索を行う。この検索動作の詳細については後述する。
【００１７】
操作部３０は、フォルダ移動を伴う再生楽曲の切替指示を受け付けるためのものであり、利用者によって操作されるフォルダＵＰ（アップ）キーとフォルダＤＯＷＮ（ダウン）キーが少なくとも備わっている。フォルダＵＰキーは、再生対象となる楽曲データが含まれるフォルダを所定方向に移動させる指示を行うためものであり、フォルダＤＯＷＮキーは、再生対象となる楽曲データに含まれるフォルダを反対方向に移動させる指示を行うためのものである。また、操作部３０は、楽曲データをハードディスク装置１４に記録する際にフォルダを指定するためにも用いられる。楽曲データを記録する際のフォルダの指定は利用者自身が任意に行うことができる。例えば、アルバム単位で、すなわちＣＤやＤＶＤ毎に新たなフォルダを指定してそのフォルダ内に楽曲データを記録するようにすれば、後にフォルダを指定することによってアルバム毎の再生指示を行うことができる。しかし、新たなフォルダをＣＤ等を入れ替えるたびに指定することは面倒であると考える利用者は、その都度新たなフォルダを指定せずに、すなわち１回だけ指定したフォルダを使用したり初期状態において予め用意されたフォルダを用いて複数のＣＤやＤＶＤに対応する楽曲データを記録することもできる。
【００１８】
上述したハードディスク装置１４が音楽データ記録手段に、音楽データ読出部１６、音楽データ再生部１８が音楽再生処理手段に、操作部３０が操作手段に、付属データ読出部２０、音楽データ検索部２２が音楽データ検索手段にそれぞれ対応する。
【００１９】
本実施形態の音楽記録再生装置１００はこのような構成を有しており、次にその動作を説明する。図３は、ハードディスク装置１４に記録されている楽曲データを読み出して再生する場合の音楽記録再生装置１００の動作手順を示す流れ図であり、音楽再生中に操作部３０を用いてフォルダ移動が指示された場合の動作手順が示されている。
【００２０】
電源が投入されて音楽記録再生装置１００が動作可能な状態になると、音楽データ読出部１６は、利用者によって操作部３０が操作されて再生指示がなされたか否かを判定する（ステップ１００）。再生指示がなされない場合には否定判断が行われてこの判定が繰り返される。また、利用者によって再生指示がなされた場合にはステップ１００の判定において肯定判断が行われ、次に、音楽データ読出部１６は、再生指示において特定されたフォルダ内の楽曲データを所定の順番で読み出し、音楽データ再生部１８は、この読み出された楽曲データに含まれる圧縮音楽データを伸張処理するとともに伸張後の音楽データをアナログの音楽信号に変換する再生処理を開始する（ステップ１０１）。なお、再生時においてフォルダが指定されていない場合には、デフォルトのフォルダ（例えば、通し番号が付されて管理されている場合を考えると通し番号が最も小さいフォルダ）内の楽曲データが読み出されて再生処理が開始される。また、ＣＤやＤＶＤから楽曲データを読み込んでハードディスク装置１４に記録する場合には、同じアルバム名の楽曲データが連続して記録されるため、特に再生順番が変更されない場合には、同一のアルバムに対応する複数の楽曲データの再生処理が連続することになる。
【００２１】
次に、音楽データ読出部１６は、利用者によって操作部３０が操作されて再生動作の終了が指示されたか否かを判定する（ステップ１０２）。再生終了が指示された場合には肯定判断が行われ、再生処理を終了した後、ステップ１００に戻って再生指示の有無判定が繰り返される。
【００２２】
また、再生終了が指示されていない場合にはステップ１０２の判定において否定判断が行われて、次に、音楽データ検索部２２は、利用者によってフォルダＵＰキーあるいはフォルダＤＯＷＮキーのいずれかが押下されてフォルダ切替が指示されたか否かを判定する（ステップ１０３）。いずれのキーも押下されていない場合には否定判断が行われ、ステップ１０２の再生終了判定が繰り返される。また、いずれかのキーが押下された場合にはステップ１０３の判定において肯定判断が行われる。次に、音楽データ検索部２２は、ハードディスク装置１４の記録内容を調べて、再生中の楽曲データに対応するフォルダ以外の他のフォルダが存在するか否かを判定する（ステップ１０４）。他のフォルダが存在する場合には肯定判断が行われ、再生対象となるフォルダを切り替えた後（ステップ１０５）、ステップ１０１に戻ってこの切り替え後のフォルダ内の楽曲データの再生が開始される。
【００２３】
また、他のフォルダが存在しない場合にはステップ１０４の判定において否定判断が行われる。つぎに、音楽データ検索部２２は、再生中のフォルダ内検索を開始する（ステップ１０６）。具体的には、付属データ読出部２０は、再生中の楽曲データに含まれるＩＤ３タグ情報を読み出してアルバム名を抽出し（ステップ１０７）、音楽データ検索部２２は、アルバム名を検索キーワードとして、抽出されたアルバム名以外の他のアルバム名を有する楽曲データが存在するか否かを判定する（ステップ１０８）。存在する場合には、別のアルバム名を有する楽曲データに再生対象を切り替えた後（ステップ１０９）、ステップ１０１に戻ってこの切り替え後の楽曲データの再生が開始される。また、他のアルバム名の楽曲データが存在しない場合（１枚のＣＤやＤＶＤのみから楽曲データを読み出して記録した場合）にはステップ１０８の判定において否定判断が行われ、利用者に対して所定の通知が行われる（ステップ１１０）。例えば、表示部（図示せず）に切り替え先となるフォルダや他のアルバムがないことが表示される。その後、ステップ１０３に戻って、フォルダ切替指示の有無判定が繰り返される。
【００２４】
このように、本実施形態の音楽記録再生装置１００では、一のフォルダに多くの楽曲データを記録した場合であっても、各楽曲データの内容を表示させて選択操作をすることなくフォルダの切替操作を行うだけで、フォルダ内の他の音楽データを再生することが可能になり、音楽データ再生時の操作性を向上させることができる。特に、圧縮された形式で音楽データが記録されている場合には音楽データの数も多くなるが、このような場合であっても、フォルダの切替指示を行うだけで、一のフォルダに記録された膨大な数の音楽データの中から次の再生対象となる他の音楽データを特定することができる。
【００２５】
また、付属データとしてのＩＤ３タグ情報を検索キーワードとして用いて音楽データを検索することができるため、検索処理の負担を軽減することができる。特に、この付属データには複数種類の属性データが含まれており、一の属性データに着目し、その時点で再生対象となっている音楽データに対応するこの一の属性データの内容と異なる内容を検索キーワードとして次の再生対象となる音楽データを検索することにより、フォルダの切替操作がなされたときに、属性が異なる他の音楽データを再生することができるため、変化に富んだ内容の音楽再生を行うことが可能になる。
【００２６】
また、フォルダが一つしかない場合に、再生対象となっている音楽データに対応するアルバム名と異なる他のアルバム名の音楽データを検索して再生処理を行っているため、異なるアルバム名の音楽データを一つのフォルダに記録した場合であっても、アルバム名毎に再生順番を切り替えることが可能になり、アルバム毎にフォルダを替えて記録したり、フォルダ内の音楽データをアルバム名を指定して検索するなどの煩雑な操作を行う必要が無く、操作性を向上させることができる。
【００２７】
なお、本発明は上記実施形態に限定されるものではなく、本発明の要旨の範囲内において種々の変形実施が可能である。上述した実施形態では、ハードディスク装置１４に楽曲データを記録するようにしたが、ＣＤやＤＶＤあるいは半導体メモリ等に楽曲データを記録するようにしてもよい。また、圧縮方式の一例としてＭＰ３を説明したが他の圧縮方式で圧縮した楽曲データを記録するようにしてもよい。
【００２８】
また、上述した実施形態では、音楽記録再生装置１００に楽曲データを圧縮して記録する機能を持たせたが、再生機能のみを持たせるようにしてもよい。この場合には、圧縮された楽曲データを何らかの方法でハードディスク装置１４に転送する必要があるが、この転送は、メモリカードやＣＤ、ＤＶＤ等を用いて行ったり、インターネット等の通信媒体を介してダウンロード等の手法を用いて行うようにしてもよい。
【００２９】
また、上述した実施形態では、フォルダが一つしかない場合にフォルダ切替が指示されたときに、他のアルバム名を有する他の楽曲データを検索するようにしたが、アルバム名以外の付属データ（ＩＤ３タグ情報）を検索キーワードとして他の楽曲データを検索するようにしてもよい。例えば、ジャンルを検索キーワードに用いるようにしてもよい。この場合には、フォルダが一つしかない場合に、再生対象となっている音楽データに対応するジャンルと異なる他のジャンルの音楽データを検索して再生処理が行われる。これにより、異なるジャンルのの音楽データを一つのフォルダに記録した場合であっても、ジャンル毎に再生順番を切り替えることが可能になり、ジャンル毎にフォルダを替えて記録したり、フォルダ内の音楽データをジャンルを指定して検索するなどの煩雑な操作を行う必要が無く、操作性を向上させることができる。
【図面の簡単な説明】
【００３０】
【図１】一実施形態の音楽記録再生装置の構成を示す図である。
【図２】ハードディスク装置に記録される楽曲データのデータ構造を示す図である。
【図３】ハードディスク装置に記録されている楽曲データを読み出して再生する場合の音楽記録再生装置の動作手順を示す流れ図である。
【符号の説明】
【００３１】
１０  ディスクプレーヤ
１２  音楽データ作成部
１４  ハードディスク装置
１６  音楽データ読出部
１８  音楽データ再生部
２０  付属データ読出部
２２  音楽データ検索部
３０  操作部
１００  音楽記録再生装置
【図１】
2006147062.tif 000003
【図２】
2006147062.tif 000004
【図３】
2006147062.tif 000005